(57)【特許請求の範囲】
【請求項１】
基材と、該基材上に形成された第１および第２の発振器回路と、前記第１および第２の発振器回路に電気的に接続された接地用の端子とを備える回路基板を有し、
前記第１および第２の発振器回路は、それぞれが出力する出力周波数に差を有し、前記第２の発振器回路が出力する第２の出力周波数が、前記第１の発振器回路が出力する第１の出力周波数よりも高くなっており、
前記回路基板は、さらに、前記第１および第２の出力周波数のうちのいずれかを出力する出力用の端子を有し、
前記第２の発振器回路は、前記第１の発振器回路よりも前記接地用の端子に近い位置に配置され、かつ、
前記基材の対向する側面のうち、前記第２の発振器回路側の前記側面に前記接地用の端子が設けられ、前記第１の発振器回路側の前記側面に前記出力用の端子が設けられており、かつ、
前記第１および第２の発振器回路は、それぞれ、第１および第２の逓倍回路を備え、
前記第２の逓倍回路は、前記第１の逓倍回路よりも前記接地用の端子に近い位置に配置されていることを特徴とする発振器。
【請求項２】
前記第２の出力周波数は、８００MHｚ以上である請求項１に記載の発振器。
【請求項３】
前記基材上の、前記接地用の端子と前記出力用の端子との間の位置に、前記第１および第２の発振器回路が配置されている請求項１または２に記載の発振器。
【請求項４】
請求項１ないし３のいずれか１項に記載の発振器を備えたことを特徴とする電子機器。
【請求項５】
請求項１ないし３のいずれか１項に記載の発振器を備えたことを特徴とする移動体。
【発明の詳細な説明】
【技術分野】
【０００１】
本発明は、発振器、電子機器および移動体に関するものである。
【背景技術】
【０００２】
同期光ネットワーク（ＳＯＮＥＴ）や同期デジタルハイアラーキー（ＳＤＨ）のようなバックボーン回線に用いられる基準周波数は、互いに異なる複数の周波数に対応していることが必要である。このため、バックボーン回線に用いられる伝送装置関連機器には、互いに異なる周波数信号をそれぞれ発振可能な発振器が複数搭載されており、外部からの選択信号等によっていずれかの発振器を選択し、所望の周波数信号が出力されるようになっている。
【０００３】
例えば、特許文献１には、第１の周波数信号を出力する第１の水晶発振部と、第２の周波数信号を出力する第２の水晶発振部と、外部からの選択信号により第１の水晶発振部と第２の水晶発振部のいずれかに電源供給を行う第１の切替器と、外部からの選択信号により第１の水晶発振部と第２の水晶発振部のいずれかの出力を選択する第２の切替器と、を有する２周波切替型高周波水晶発振器が開示されている。
【０００４】
この２周波切替型高周波水晶発振器では、周波数制御電圧によって、第１の水晶発振部が備える可変容量ダイオードおよび第２の水晶発振部が備える可変容量ダイオードの容量が制御されることにより、第１の水晶発振部および第２の水晶発振部から出力される周波数信号の周波数が調整される。
【０００５】
また、第１の水晶発振部は、さらに抵抗を備えており、第１の水晶発振部に求められる出力周波数に応じて、前述した可変容量ダイオードおよびこの抵抗の特性が適宜選択される。
【０００６】
同様に、第２の水晶発振部も、さらに抵抗を備えており、第２の水晶発振部に求められる出力周波数に応じて、前述した可変容量ダイオードおよびこの抵抗の特性が適宜選択される。
【０００７】
このような構成の２周波切替型高周波水晶発振器は、例えば、特許文献２のように、１つの基板上に、第１および第２の水晶発振部の双方を、配置することが考えられる。
【０００８】
しかしながら、発振器自体の小型化を図りつつ、上記の通り、１つの基板上に２つの水晶発振部を配置（搭載）しようとすると、基板上の限られた領域に、前記２つの水晶発振部を配置する必要があるため、発振器の設計の自由度には限界があった。
【０００９】
そのため、２つの水晶発振部（発振器回路）を配置する位置によっては、特に、高周波側の出力周波数を出力する水晶発振部（発振器回路）の出力周波数が安定しないという問題があった。
【先行技術文献】
【特許文献】
【００１０】
【特許文献１】特開２００５−６１３０号公報
【特許文献２】特開２０１２−１５１７７３号公報
【発明の概要】
【発明が解決しようとする課題】
【００１１】
本発明の目的は、小型で、かつ、２つの発振器回路による出力周波数が安定している発振器、ならびに、かかる発振器を備える電子機器および移動体を提供することにある。
【課題を解決するための手段】
【００１２】
本発明は、上述の課題の少なくとも一部を解決するためになされたものであり、以下の形態または適用例として実現することが可能である。
【００１３】
［適用例１］
本発明の発振器は、基材と、該基材上に形成された第１および第２の発振器回路と、前記第１および第２の発振器回路に電気的に接続された接地用の端子とを備える回路基板を有し、
前記第１および第２の発振器回路は、それぞれが出力する出力周波数に差を有し、前記第２の発振器回路が出力する第２の出力周波数が、前記第１の発振器回路が出力する第１の出力周波数よりも高くなっており、
前記回路基板は、さらに、前記第１および第２の出力周波数のうちのいずれかを出力する出力用の端子を有し、
前記第２の発振器回路は、前記第１の発振器回路よりも前記接地用の端子に近い位置に配置され、かつ、
前記基材の対向する側面のうち、前記第２の発振器回路側の前記側面に前記接地用の端子が設けられ、前記第１の発振器回路側の前記側面に前記出力用の端子が設けられており、かつ、
前記第１および第２の発振器回路は、それぞれ、第１および第２の逓倍回路を備え、
前記第２の逓倍回路は、前記第１の逓倍回路よりも前記接地用の端子に近い位置に配置されていることを特徴とする。
【００１４】
このように、出力周波数が高い第２の発振器回路を、接地用の端子に近く配置することで、第２の発振器回路が出力する第２の出力周波数が安定し、結果的に第１および第２の出力周波数の双方が安定する。
また、本発明の発振器では、第１および第２の発振器回路は、それぞれ、第１および第２の逓倍回路を備え、第２の逓倍回路は、第１の逓倍回路よりも接地用の端子に近い位置に配置されていることにより、第２の発振器回路が出力する第２の出力周波数をより確実に安定化させることができる。
【００１７】
［適用例２］
本発明の発振器では、前記第２の出力周波数は、８００MHｚ以上であることが好ましい。
【００１８】
第２の出力周波数がこのように高周波数である際に、第２の出力周波数をより確実に安定化させることができる。
【００１９】
［適用例３］
本発明の発振器では、前記基材上の、前記接地用の端子と前記出力用の端子との間の位置に、前記第１および第２の発振器回路が配置されていることが好ましい。
【００２０】
これにより、第２の発振器回路が出力する第２の出力周波数をより確実に安定化させることができる。
【００２１】
［適用例４］
本発明の電子機器は、本発明の発振器を備えたことを特徴とする。
これにより、信頼性の高い電子機器が得られる。
【００２２】
［適用例５］
本発明の移動体は、本発明の発振器を備えたことを特徴とする移動体。
これにより、信頼性の高い移動体が得られる。
【図面の簡単な説明】
【００２３】
【図１】本発明の発振器の実施形態が備える発振器回路を示すブロック構成図である。
【図２】図１に示す発振器回路を備える発振器（本発明の発振器の実施形態）の外観を示す斜視図である。
【図３】図２に示す発振器におけるＡ−Ａ線縦断面図である。
【図４】図２に示す発振器の部分分解斜視図である。
【図５】図２に示す発振器の部分分解斜視図である。
【図６】本発明の発振器の実施形態の他の構成例を示す縦断面図である。
【図７】本発明の電子機器の第１例であるモバイル型（またはノート型）のパーソナルコンピューターの構成を示す斜視図である。
【図８】本発明の電子機器の第２例である携帯電話機（ＰＨＳも含む）の構成を示す斜視図である。
【図９】本発明の電子機器の第３例であるディジタルスチルカメラの構成を示す斜視図である。
【図１０】本発明の電子機器の第４例である光伝送装置を含むネットワークの概略図である。
【図１１】本発明の移動体の一例である自動車の構成を示す斜視図である。
【発明を実施するための形態】
【００２４】
以下、本発明の発振器、電子機器および移動体を添付図面に示す実施形態に基づいて詳細に説明する。
【００２５】
１．発振器回路
まず、本発明の発振器の実施形態が備える発振器回路について説明する。
図１は、本発明の発振器の実施形態が備える発振器回路を示すブロック構成図である。
【００２６】
図１に示す発振器回路１は、１つの基板に２つのＶＣＸＯ（電圧制御型発振器回路）を搭載した例である。図１に示す発振器回路１は、外部から印加される制御電圧により所望の第１の周波数信号（第１の出力周波数）を出力する第１のＶＣＸＯ（第１の発振器回路）７と、外部から印加される制御電圧により所望の第２の周波数信号（第２の出力周波数）を出力する第２のＶＣＸＯ（第２の発振器回路）８と、第１のＶＣＸＯ７と第２のＶＣＸＯ８の出力を選択する選択部９と、を備えている。
【００２７】
また、選択部９は、外部からの選択信号により、第１のＶＣＸＯ７と第２のＶＣＸＯ８のいずれか一方に電源電圧を印加（供給）するための電源用スイッチ回路１０と、外部からの選択信号により、第１のＶＣＸＯ７と第２のＶＣＸＯ８のうちのいずれか一方の出力を選択する出力用スイッチ回路１１と、この選択された周波数信号を所定のレベルに増幅する増幅器１２と、を備えている。
【００２８】
また、発振器回路１は、第１のＶＣＸＯ７および第２のＶＣＸＯ８に対して制御電圧を印加するための制御電圧端子６１と、電源用スイッチ回路１０に対して電源電圧を印加するための電源端子６２と、増幅器１２で増幅された周波数信号を外部に出力するための発振器出力端子（出力用の端子）６３と、選択部９に対して選択信号を入力するための選択信号端子６４と、電気的に接地されている接地端子（接地用の端子）６５と、を備えている。
【００２９】
以下、発振器回路１の各部の構成についてさらに詳述する。なお、後述する構成は、本発明の発振器が備える発振器回路の構成の一例であり、本発明はこれに限定されるものではない。
【００３０】
図１に示す第１のＶＣＸＯ７は、いわゆるコルピッツ型発振回路を含んでいる。
具体的には、第１のＶＣＸＯ７は、まず、抵抗Ｒ１１（第１抵抗）と可変容量ダイオードＤ１１（第１可変容量ダイオード）とコンデンサーＣ１１と伸張コイルＬ１１と振動子Ｘ１１（発振部）とを備えている。抵抗Ｒ１１の一端には、外部から制御電圧が入力される。また、抵抗Ｒ１１の他端は、可変容量ダイオードＤ１１のカソード側とコンデンサーＣ１１の一端とに接続されている。さらに、コンデンサーＣ１１の他端は、伸張コイルＬ１１の一端に接続されており、伸張コイルＬ１１の他端は、振動子Ｘ１１の一端に接続されている。
【００３１】
また、第１のＶＣＸＯ７は、さらに、トランジスターＱ１１と抵抗Ｒ１２と抵抗Ｒ１３と抵抗Ｒ１４とコンデンサーＣ１２とコンデンサーＣ１３とコンデンサーＣ１４とコイルＬ１２とを備えている。振動子Ｘ１１の他端には、トランジスターＱ１１のベースと抵抗Ｒ１２の一端と抵抗Ｒ１３の一端とがそれぞれ接続されている。これらの抵抗Ｒ１２および抵抗Ｒ１３は、ベースバイアス抵抗として機能する。そして、抵抗Ｒ１３の他端は接地されている。また、トランジスターＱ１１のベースと接地との間には、負荷容量の一部を担うコンデンサーＣ１２とコンデンサーＣ１３とが直列に接続された状態で挿入されている。そして、コンデンサーＣ１２とコンデンサーＣ１３との接続中点とトランジスターＱ１１のエミッターとが接続されているとともに、トランジスターＱ１１のエミッターと接地との間には、抵抗Ｒ１４がエミッター抵抗として挿入されている。さらに、トランジスターＱ１１のコレクターと電源用スイッチ回路１０との間には、それぞれコイルＬ１２とコンデンサーＣ１４とが並列に接続されており、振動子Ｘ１１の所望の次数の高調波周波数（高次波）に同調し得る同調回路（逓倍回路）１２４が構成されているとともに、Ｃタップを構成している。
【００３２】
また、第１のＶＣＸＯ７は、さらに、コンデンサーＣ１５とコンデンサーＣ１６と抵抗Ｒ１５と抵抗Ｒ１６と抵抗Ｒ１７とを備えている。コイルＬ１２およびコンデンサーＣ１４の電源用スイッチ回路１０側は、それぞれコンデンサーＣ１６を介して接地されている。一方、コイルＬ１２およびコンデンサーＣ１４のコレクター側には、コンデンサーＣ１５の一端が接続されている。また、コンデンサーＣ１５の他端は、抵抗Ｒ１５、抵抗Ｒ１６および抵抗Ｒ１７で構成されたアッテネーター（減衰器）を介して、出力用スイッチ回路１１に接続されている。すなわち、第１のＶＣＸＯ７からの周波数信号を出力する出力端子７１（第１出力端子）が、後述する第２のＶＣＸＯ８と共用している出力用スイッチ回路１１と電気的に接続されている。なお、図１に示すアッテネーターは、いわゆるπ型不平衡減衰器であるが、インピーダンス整合と出力レベルの調整が可能なものであれば、アッテネーターの構成はこれに限定されない。
【００３３】
このような第１のＶＣＸＯ７は、外部から印加される制御電圧に応じて振動子Ｘ１１の発振周波数を制御しつつ、発振回路においては振動子Ｘ１１が発振動作を継続するように信号増幅や波形整形を行う。これにより、第１のＶＣＸＯ７からは、所望の周波数（第１の出力周波数）の第１の周波数信号が出力される。
【００３４】
一方、図１に示す第２のＶＣＸＯ８も、第１のＶＣＸＯ７と同じ構成の発振回路を含んでいる。
【００３５】
具体的には、第２のＶＣＸＯ８は、まず、抵抗Ｒ２１（第２抵抗）と可変容量ダイオードＤ２１（第２可変容量ダイオード）とコンデンサーＣ２１と伸張コイルＬ２１と振動子Ｘ２１とを備えている。抵抗Ｒ２１の一端には、外部から制御電圧が入力される。また、抵抗Ｒ２１の他端は、可変容量ダイオードＤ２１のカソード側とコンデンサーＣ２１の一端とに接続されている。さらに、コンデンサーＣ２１の他端は、伸張コイルＬ２１の一端に接続されており、伸張コイルＬ２１の他端は、振動子Ｘ２１の一端に接続されている。
【００３６】
また、第２のＶＣＸＯ８は、さらに、トランジスターＱ２１と抵抗Ｒ２２と抵抗Ｒ２３と抵抗Ｒ２４とコンデンサーＣ２２とコンデンサーＣ２３とコンデンサーＣ２４とコイルＬ２２とを備えている。振動子Ｘ２１の他端には、トランジスターＱ２１のベースと抵抗Ｒ２２の一端と抵抗Ｒ２３の一端とがそれぞれ接続されている。これらの抵抗Ｒ２２および抵抗Ｒ２３は、ベースバイアス抵抗として機能する。そして、抵抗Ｒ２３の他端は接地されている。また、トランジスターＱ２１のベースと接地との間には、負荷容量の一部を担うコンデンサーＣ２２とコンデンサーＣ２３とが直列に接続された状態で挿入されている。そして、コンデンサーＣ２２とコンデンサーＣ２３との接続中点とトランジスターＱ２１のエミッターとが接続されているとともに、トランジスターＱ２１のエミッターと接地との間には、抵抗Ｒ２４がエミッター抵抗として挿入されている。さらに、トランジスターＱ２１のコレクターと電源用スイッチ回路１０との間には、それぞれコイルＬ２２とコンデンサーＣ２４とが並列に接続されており、振動子Ｘ２１の所望の次数の高調波周波数に同調し得る同調回路（逓倍回路）２２４が構成されているとともに、Ｃタップを構成している。
【００３７】
また、第２のＶＣＸＯ８は、さらに、コンデンサーＣ２５とコンデンサーＣ２６と抵抗Ｒ２５と抵抗Ｒ２６と抵抗Ｒ２７とを備えている。コイルＬ２２およびコンデンサーＣ２４の電源用スイッチ回路１０側は、それぞれコンデンサーＣ２６を介して接地されている。一方、コイルＬ２２およびコンデンサーＣ２４のコレクター側には、コンデンサーＣ２５の一端が接続されている。また、コンデンサーＣ２５の他端は、抵抗Ｒ２５、抵抗Ｒ２６および抵抗Ｒ２７で構成されたアッテネーター（減衰器）を介して、出力用スイッチ回路１１に接続されている。すなわち、第２のＶＣＸＯ８からの周波数信号を出力する出力端子８１（第２出力端子）が、後述する第１のＶＣＸＯ７と共用している出力用スイッチ回路１１と電気的に接続されている。なお、図１に示すアッテネーターは、いわゆるπ型不平衡減衰器であるが、インピーダンス整合と出力レベルの調整が可能なものであれば、アッテネーターの構成はこれに限定されない。
【００３８】
このような第２のＶＣＸＯ８は、外部から印加される制御電圧に応じて振動子Ｘ２１の発振周波数を制御しつつ、発振回路においては振動子Ｘ２１が発振動作を継続するように信号増幅や波形整形を行う。これにより、第２のＶＣＸＯ８からは、所望の周波数（第２の出力周波数）の第２の周波数信号が出力される。
【００３９】
また、第１のＶＣＸＯ７および第２のＶＣＸＯ８は、それぞれ、例えば１５０ＭＨｚ帯の基本周波数を有する振動子を備えている。そして、第１のＶＣＸＯ７が備える振動子Ｘ１１および第２のＶＣＸＯ８が備える振動子Ｘ２１は、この周波数帯において互いに異なる基本周波数を有している。
【００４０】
そして、選択部９は、外部からの選択信号により、電源用スイッチ回路１０および出力用スイッチ回路１１を動作させる。これにより、第１のＶＣＸＯ７および第２のＶＣＸＯ８のいずれかを選択して駆動することができる。例えば、電源用スイッチ回路１０の導通経路および出力用スイッチ回路１１の導通経路を切り替えて第１のＶＣＸＯ７を選択したときには、第１のＶＣＸＯ７のみに電源電圧が印加されるとともに、出力端子７１と発振器出力端子６３とが導通し、第１のＶＣＸＯ７からの周波数信号のみが増幅器１２に入力され、所定のレベルに増幅されて第１の周波数信号として出力される。また、電源用スイッチ回路１０および出力用スイッチ回路１１を切り替えて第２のＶＣＸＯ８を選択したときには、第２のＶＣＸＯ８のみに電源電圧が印加されるとともに、出力端子８１と発振器出力端子６３とが導通し、第２のＶＣＸＯ８からの周波数信号のみが増幅器１２に入力され、所定のレベルに増幅されて第２の周波数信号として出力される。
【００４１】
このように電源用スイッチ回路１０を設けることにより、第１のＶＣＸＯ７および第２のＶＣＸＯ８のうち、目的とする出力周波数に応じた一方に電源電圧を印加することができるので、消費電力の低減が図られるとともに、通電による電磁妨害波の発生を抑制することができる。
【００４２】
なお、本発明では、第２のＶＣＸＯ８から出力される第２の周波数信号の第２の出力周波数が、第１のＶＣＸＯ７から出力される第１の周波数信号の第１の出力周波数よりも高くなっている。
【００４３】
また、第１のＶＣＸＯ７および第２のＶＣＸＯ８に含まれる同調回路を適宜設定することにより、各同調回路が同調する周波数を所望の値（例えば振動子の基本周波数またはその整数倍）に合わせることができる。
【００４４】
例えば、第１のＶＣＸＯ７が備える振動子Ｘ１１の基本周波数が１５５ＭＨｚである場合、同調回路の設定によってそのまま１５５ＭＨｚの周波数信号を第１の周波数信号として出力したり、例えば、基本周波数の４倍波や５倍波である６２２ＭＨｚや７７８ＭＨｚの周波数信号を第１の周波数信号として出力したりすることができる。
【００４５】
また、第２のＶＣＸＯ８が備える振動子Ｘ２１の基本周波数が１６１ＭＨｚである場合、同調回路の設定によってそのまま１６１ＭＨｚの周波数信号を第２の周波数信号として出力したり、例えば、基本周波数の４倍波や５倍波である６４４ＭＨｚや８０５ＭＨｚの周波数信号を第２の周波数信号として出力したりすることができる。
【００４６】
同調回路の同調周波数ｆは、一般的に、並列共振回路を構成しているコイルのインダクタンスＬとコンデンサーの電気容量Ｃとで与えられる［ｆ＝１／｛２π（ＬＣ）１／２｝］。したがって、同調回路において同調させる周波数を所望の値に合わせるためには、同調回路（並列共振回路）のコイルとコンデンサーを適宜選択するようにすればよい。
【００４７】
なお、本実施形態では、出力用スイッチ回路１１と発振器出力端子６３との間に増幅器１２が挿入されている。このため、第１のＶＣＸＯ７と第２のＶＣＸＯ８とで増幅器１２が共用されている。このため、個別に増幅器を設ける場合に比べて、増幅器１２の数を減らすことができ、発振器回路１の小型化を図ることができる。このような構成は、例えば、ＳＯＮＥＴ／ＳＤＨネットワーク等に用いられるクロック信号のように、使用される周波数が近接している場合に特に有用である。
【００４８】
一方、第１のＶＣＸＯ７と第２のＶＣＸＯ８とで増幅器１２が共用されていなくてもよく、発振器回路１は、例えば、第１のＶＣＸＯ７用の増幅器と第２のＶＣＸＯ８用の増幅器とを備えていてもよい。
【００４９】
また、第１のＶＣＸＯ７および第２のＶＣＸＯ８は、それぞれ出力される周波数信号から不要な周波数成分を除去するフィルターを備えていてもよい。このようなフィルターとしては、例えば弾性表面波（ＳＡＷ）フィルター等が挙げられる。
【００５０】
なお、発振器回路１には、図示した構成以外に、任意のディスクリート部品や集積回路部品等を含んでいてもよい。
【００５１】
また、発振器回路１には、第１のＶＣＸＯ７や第２のＶＣＸＯ８と同等なＶＣＸＯ（電圧制御型発振器回路）をさらに１つ以上追加されていてもよい。すなわち、発振器回路１には、３つ以上のＶＣＸＯが含まれていてもよい。その場合、追加されたＶＣＸＯに対しても、電源用スイッチ回路１０や出力用スイッチ回路１１を接続するようにすればよい。
【００５２】
また、振動子Ｘ１１および振動子Ｘ２１としては、例えば、ＡＴカット水晶振動子、音叉型水晶振動子、弾性表面波振動子等の各種振動子が用いられる。このうち、周波数精度の高い基本周波数が得られるという観点から、水晶振動子が好ましく用いられる。これにより、周波数精度の高い発振が可能な発振器回路１が得られる。
【００５３】
２．発振器
次に、本発明の発振器の実施形態について説明する。
【００５４】
図２は、図１に示す発振器回路を備える発振器（本発明の発振器の実施形態）の外観を示す斜視図であり、図３は、図２に示す発振器におけるＡ−Ａ線縦断面図、図４は、図２に示す発振器の部分分解斜視図、図５は、図２に示す発振器の部分分解斜視図である。なお、説明の便宜上、図４では、発振器が備えるリッドの記載を省略し、図５は、発振器が備える回路基板を下面側から見たものである。
【００５５】
図２〜図５に示す発振器１００は、パッケージ２と、パッケージ２内に固定されている支持基板３、および、支持基板３に搭載されている発振器回路１を備える回路基板３０と、を有している。
【００５６】
このうち、パッケージ２は、凹部２１１を備えるベース基板２１と、ベース基板２１に接合されている凹部２７１を備えるリッド（蓋体）２７と、を有している。パッケージ２内には、ベース基板２１とリッド２７との間に内部空間Ｓが設けられており、この内部空間に回路基板３０が収納されている。このようなパッケージ２内に回路基板３０が備える発振器回路１が収納されることにより、外力や環境変化から発振器回路１を保護することができるので、発振器１００の信頼性を高めることができる。
【００５７】
ベース基板２１は、図３に示すように、上面に開口している凹部２１１を有する箱状となっている。言い換えると、ベース基板２１は、板状の底板２１２と、底板２１２の上面の縁部から立設している枠状の側壁２１３と、を有している。
【００５８】
また、ベース基板２１には、図４に示すように、６つの端子２４１、２４２、２４３、２４４、２４５、２４６が設けられており、これら端子２４１〜２４６が、回路基板３０が備える端子と電気的に接続する内部端子としての機能と、発振器１００が搭載される搭載基板（図示せず）等が備える端子と電気的に接続する外部端子としての機能との双方を併せ持つ。
【００５９】
なお、パッケージ２の絶縁部の構成材料は、例えば、酸化アルミニウム質、窒化アルミニウム質、炭化珪素質、ムライト質、ガラス・セラミック質等のセラミックグリーンシートを焼結処理することで得られる。
【００６０】
一方、パッケージ２の導電部の構成材料は、例えば、タングステン（Ｗ）、モリブテン（Ｍｏ）等の下地層に、金（Ａｕ）、銅（Ｃｕ）等のめっき層を被覆することで得られる。
【００６１】
回路基板３０は、パッケージ２内に固定されている支持基板（基材）３と、支持基板３に搭載されている発振器回路１とを備えている。
【００６２】
支持基板（基板）３は、その全体形状が平板状をなし、例えば、低温同時焼成セラミック基板（ＬＴＣＣ基板）で構成されている。これにより、強度の高い支持基板３が得られる。また、配線パターンを同時に形成することができ、発振器１００の製造工程を少なくすることができる。なお、支持基板３は、単層基板であってもよいし、多層基板であってもよい。また、支持基板３としては、低温同時焼成セラミック基板に限定されず、この他、例えば、低温同時焼成セラミック基板以外のセラミック基板、ガラスエポキシやその他の構成部材からなる樹脂基板（プリント基板）、ガラス基板等を用いてもよい。
【００６３】
また、支持基板３のｙ軸方向に延びる２つの側面には、それぞれ、３つの切り欠き（合計６つ）が並んで設けられており、これら切り欠きに対応して、導電性を有するキャスタレーション３２１、３２２、３２３、３２４、３２５、３２６が形成されており、これらのうちキャスタレーション３２１、３２２、３２４、３２５、３２６が、それぞれ、発振器回路１が備える、電源端子６２、発振器出力端子（出力用の端子）６３、制御電圧端子６１、選択信号端子６４、接地端子（接地用の端子）６５を構成する。
【００６４】
このような支持基板３は、図３に示すように、平面視で凹部２１１と重なるように配置され、各キャスタレーション３２１、３２２、３２３、３２４、３２５、３２６と各端子２４１、２４２、２４３、２４４、２４５、２４６とが半田Ｈを介して接合されており、これにより、支持基板３がベース基板２１の上面に固定されるとともに、各キャスタレーション３２１、３２２、３２３、３２４、３２５、３２６と各端子２４１、２４２、２４３、２４４、２４５、２４６とが電気的に接続される。なお、支持基板３をベース基板２１に固定する固定部材としては、半田に限定されず、例えば、金ろう、銀ろう等の金属ろう材や、導電性接着剤等を用いることができる。
【００６５】
先にその構成について図１を用いて説明した発振器回路１は、発振器１００において、図３〜図５に示すように、支持基板３の上面、下面および内部に形成されている図示しない配線パターンと、支持基板３の下面に搭載された、振動子Ｘ１１、Ｘ２１および同調回路（逓倍回路）１２４、２２４と、支持基板３の上面に搭載された、複数の回路素子５９と、支持基板３の側面に形成された、電源端子６２、発振器出力端子（出力用の端子）６３、制御電圧端子６１、選択信号端子６４、接地端子（接地用の端子）６５をそれぞれ構成するキャスタレーション３２１、３２２、３２４、３２５、３２６と、を有している。
【００６６】
なお、これら振動子Ｘ１１、Ｘ２１、同調回路１２４、２２４、電源端子６２、発振器出力端子６３、制御電圧端子６１、選択信号端子６４および接地端子６５を除く、発振器回路１を構成する各部が複数の回路素子５９として搭載されている。
【００６７】
また、これら振動子Ｘ１１、Ｘ２１、同調回路１２４、２２４、電源端子６２、発振器出力端子６３、制御電圧端子６１、選択信号端子６４、接地端子６５および回路素子５９が互いに配線パターンを介して電気的に接続されており、これにより発振器回路１が形成される。
【００６８】
かかる構成の発振器回路１では、図５に示すように、支持基板３において、電源端子６２および発振器出力端子６３が、ｙ軸方向に沿って伸びる−ｘ軸方向側の側面に、ｙ軸方向に並んで設けられており、さらに、制御電圧端子６１、選択信号端子６４および接地端子６５がｙ軸方向に沿って伸びる＋ｘ軸方向側の側面に、ｙ軸方向に並んで設けられている。
【００６９】
また、振動子Ｘ１１および同調回路１２４は、支持基板３の下面に、＋ｙ軸方向にこの順で並んで−ｘ軸方向側に搭載され、振動子Ｘ２１および同調回路２２４は、支持基板３の下面に、＋ｙ軸方向にこの順で並んで＋ｘ軸方向側に搭載されており、これにより、第１のＶＣＸＯ７が支持基板３の下面の−ｘ軸方向側に位置し、第２のＶＣＸＯ８が支持基板３の下面の＋ｘ軸方向側に位置する。
【００７０】
ここで、前述の通り、第２のＶＣＸＯ８から出力される第２の周波数信号の第２の出力周波数は、第１のＶＣＸＯ７から出力される第１の周波数信号の第１の出力周波数よりも高くなっているが、支持基板３における発振器回路１を構成する各部の配置関係を前記のようなものとすることで、第２の出力周波数を出力する第２のＶＣＸＯ８は、第１の出力周波数を出力する第１のＶＣＸＯ７よりも接地端子６５に近い位置に配置されることとなる。
【００７１】
第２のＶＣＸＯ８と第１のＶＣＸＯ７との位置関係をかかる関係を満足することにより、第２の発振器回路が出力する（第１の出力周波数よりも高い）第２の出力周波数が安定することが、本発明者の検討により、判っている。
【００７２】
そのため、かかる関係を満足するように、発振器の設計を行うことで、たとえ発振器１００の設計の自由度に制限があったとしても、第１のＶＣＸＯ７および第２のＶＣＸＯ８から出力される、第１の出力周波数および第２の出力周波数の双方を安定なものとすることができる。
【００７３】
また、本実施形態では、図５に示すように、第２のＶＣＸＯ８および第１のＶＣＸＯ７を構成する各部のうち、同調回路１２４および同調回路２２４が、接地端子６５の近位に搭載され、さらに、これらのうち同調回路２２４が同調回路１２４よりも接地端子６５の近位に配置されている。これにより、第２のＶＣＸＯ８が出力する第２の出力周波数をより確実に安定化させることができる。
【００７４】
さらに、図５に示すように、第１のＶＣＸＯ７が支持基板３の下面の−ｘ軸方向側に位置し、第２のＶＣＸＯ８が支持基板３の下面の＋ｘ軸方向側に位置すること、また、接地端子６５がｙ軸方向に沿って伸びる＋ｘ軸方向側の側面に設けられ、発振器出力端子６３、がｙ軸方向に沿って伸びる−ｘ軸方向側の側面に設けられていることで、接地端子６５と発振器出力端子６３との間の位置に、第１のＶＣＸＯ７および第２のＶＣＸＯ８が配置されることとなる。かかる構成とすることで、第２のＶＣＸＯ８が出力する第２の出力周波数をより確実に安定化させることができる。
【００７５】
なお、第２のＶＣＸＯ８が出力する第２の出力周波数は、第１のＶＣＸＯ７が出力する第１の出力周波数よりも高ければよいが、具体的には、８００ＭＨｚ以上であることが好ましい。第２の出力周波数がこのように高周波数である際に、第２のＶＣＸＯ８を接地端子６５の近位に配置することで、第２の出力周波数をより確実に安定化させることができる。
【００７６】
次に、本発明の発振器の実施形態の他の構成例を説明する。
図６は、本発明の発振器の実施形態の他の構成例を示す縦断面図である。
【００７７】
図６に示す発振器１００は、パッケージ２と、パッケージ２内に固定されている支持基板３と、支持基板３に搭載されている発振器回路１と、を有している。なお、以下の説明では、図６の上方を「上」、下方を「下」という。
【００７８】
図６に示す発振器１００では、発振器回路１のうち、第１のＶＣＸＯ７に含まれる振動子Ｘ１１および第２のＶＣＸＯ８に含まれる振動子Ｘ２１が、支持基板３の上面に搭載されている。一方、発振器回路１のうち、第１のＶＣＸＯ７が備える振動子Ｘ１１を除く同調回路１２４を含む各部を構成する抵抗、可変容量ダイオード、コンデンサーおよびトランジスターのうちの少なくとも一部、および、第２のＶＣＸＯ８が備える振動子Ｘ２１を除く同調回路２２４を含む各部を構成する抵抗、可変容量ダイオード、コンデンサーおよびトランジスターのうちの少なくとも一部は、集積回路素子４に集積化されており、この集積回路素子４は、集積回路素子４が備える複数の端子４１を介して支持基板３の下面に搭載されている。かかる構成の図６に示す発振器１００では、集積回路素子４において、複数の端子４１が、電源端子６２、発振器出力端子６３、制御電圧端子６１、選択信号端子６４、接地端子６５を構成し、これらのうちの接地端子６５の近位に、同調回路１２４と比較して同調回路２２４が位置しており、これにより、第２のＶＣＸＯ８が出力する第２の出力周波数が安定する。
また、パッケージ２の下面には、外部接続端子２５１、２５２が設けられている。
【００７９】
このような発振器１００によれば、発振器回路１を構成するディスクリート部品の数を減らすことができるので、小型化が図られるとともに、製造容易性が高くなる。
【００８０】
３．電子機器
次いで、本発明の発振器を備える電子機器（本発明の電子機器）について、図７〜図１０に基づき、詳細に説明する。
【００８１】
図７は、本発明の電子機器の第１例であるモバイル型（またはノート型）のパーソナルコンピューターの構成を示す斜視図である。この図において、パーソナルコンピューター１１００は、キーボード１１０２を備えた本体部１１０４と、表示部２０００を備えた表示ユニット１１０６とにより構成され、表示ユニット１１０６は、本体部１１０４に対しヒンジ構造部を介して回動可能に支持されている。このようなパーソナルコンピューター１１００には、発振器１００が内蔵されている。
【００８２】
図８は、本発明の電子機器の第２例である携帯電話機（ＰＨＳも含む）の構成を示す斜視図である。この図において、携帯電話機１２００は、複数の操作ボタン１２０２、受話口１２０４および送話口１２０６を備え、操作ボタン１２０２と受話口１２０４との間には、表示部２０００が配置されている。このような携帯電話機１２００には、発振器１００が内蔵されている。
【００８３】
図９は、本発明の電子機器の第３例であるディジタルスチルカメラの構成を示す斜視図である。なお、この図には、外部機器との接続についても簡易的に示されている。ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【００８４】
ディジタルスチルカメラ１３００におけるケース（ボディー）１３０２の背面には、表示部２０００が設けられ、ＣＣＤによる撮像信号に基づいて表示を行う構成になっており、表示部２０００は、被写体を電子画像として表示するファインダーとして機能する。また、ケース１３０２の正面側（図中裏面側）には、光学レンズ（撮像光学系）やＣＣＤなどを含む受光ユニット１３０４が設けられている。
【００８５】
撮影者が表示部２０００に表示された被写体像を確認し、シャッターボタン１３０６を押下すると、その時点におけるＣＣＤの撮像信号が、メモリー１３０８に転送・格納される。また、このディジタルスチルカメラ１３００においては、ケース１３０２の側面に、ビデオ信号出力端子１３１２と、データ通信用の入出力端子１３１４とが設けられている。そして、図示されるように、ビデオ信号出力端子１３１２にはテレビモニター１４３０が、データ通信用の入出力端子１３１４にはパーソナルコンピューター１４４０が、それぞれ必要に応じて接続される。さらに、所定の操作により、メモリー１３０８に格納された撮像信号が、テレビモニター１４３０や、パーソナルコンピューター１４４０に出力される構成になっている。このようなディジタルスチルカメラ１３００には、発振器１００が内蔵されている。
【００８６】
図１０は、本発明の電子機器の第４例である光伝送装置を含むネットワークの概略図である。この図において、光伝送装置１６００は、ＳＯＮＥＴ／ＳＤＨネットワークとＷＤＭ（波長分割多重）ネットワークとの境界に配置され、ＳＯＮＥＴ／ＳＤＨネットワーク内を伝送されるクライアント信号と、ＷＤＭネットワーク内を伝送されるＯＴＵｋ（ｋ＝２，３）信号とを相互に変換する。なお、図１０の例では、クライアント信号として、ＯＣ３／ＳＴＭ−１信号、ＯＣ１２／ＳＴＭ−４信号、ＯＣ４８／ＳＴＭ−１６信号、および、ＯＣ１９２／ＳＴＭ−６４信号を挙げている。
【００８７】
このような光伝送装置１６００は、クライアント信号に対応するクロックを生成するためのクロック生成部を備えており、このクロック生成部に発振器１００が内蔵されている。クロック生成部では、伝送ビットレートが異なるクライアント信号に応じて周波数の異なるクロックを出力し得るようになっている。このような場合に、２周波切替型の発振器１００を設けることにより、周波数の異なるクロックを容易に出力させることができる。
【００８８】
なお、本発明の発振器を備える電子機器は、図７のパーソナルコンピューター（モバイル型パーソナルコンピューター）、図８の携帯電話機、図９のディジタルスチルカメラ、図１０の光伝送装置の他にも、例えば、インクジェット式吐出装置（例えばインクジェットプリンター）、ラップトップ型パーソナルコンピューター、テレビ、ビデオカメラ、ビデオテープレコーダー、カーナビゲーション装置、ページャー、電子手帳（通信機能付も含む）、電子辞書、電卓、電子ゲーム機器、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター等に適用することができる。
【００８９】
４．移動体
図１１は、本発明の移動体の一例である自動車の構成を示す斜視図である。
【００９０】
この図において、移動体１５００は、車体１５０１と、４つの車輪１５０２とを有しており、車体１５０１に設けられた図示しない動力源（エンジン）によって車輪１５０２を回転させるように構成されている。このような移動体１５００には、発振器１００が内蔵されている。
【００９１】
なお、本発明の移動体は、自動車に限定されず、例えば、航空機、船舶、オートバイ等の各種移動体に適用可能である。
【００９２】
以上、本発明の発振器、電子機器および移動体を図示の各実施形態に基づいて説明したが、本発明はこれらに限定されるものではなく、各部の構成は、同様の機能を有する任意の構成のものに置換することができる。また、他の任意の構成物が付加されていてもよい。
【符号の説明】
【００９３】
１……発振器回路
２……パッケージ
３……支持基板
４……集積回路素子
７……第１のＶＣＸＯ
８……第２のＶＣＸＯ
９……選択部
１０……電源用スイッチ回路
１１……出力用スイッチ回路
１２……増幅器
２１……ベース基板
２７……リッド
３０……回路基板
４１……端子
５９……回路素子
６１……制御電圧端子
６２……電源端子
６３……発振器出力端子
６４……選択信号端子
６５……接地端子
７１……出力端子
８１……出力端子
１００……発振器
１２４……同調回路
２１１……凹部
２１２……底板
２１３……側壁
２２４……同調回路
２４１……端子
２４２……端子
２４３……端子
２４４……端子
２４５……端子
２４６……端子
２５１……外部接続端子
２５２……外部接続端子
２７１……凹部
３２１……キャスタレーション
３２２……キャスタレーション
３２３……キャスタレーション
３２４……キャスタレーション
３２５……キャスタレーション
３２６……キャスタレーション
１１００……パーソナルコンピューター
１１０２……キーボード
１１０４……本体部
１１０６……表示ユニット
１２００……携帯電話機
１２０２……操作ボタン
１２０４……受話口
１２０６……送話口
１３００……ディジタルスチルカメラ
１３０２……ケース
１３０４……受光ユニット
１３０６……シャッターボタン
１３０８……メモリー
１３１２……ビデオ信号出力端子
１３１４……入出力端子
１４３０……テレビモニター
１４４０……パーソナルコンピューター
１５００……移動体
１５０１……車体
１５０２……車輪
１６００……光伝送装置
２０００……表示部
Ｃ１１……コンデンサー
Ｃ１２……コンデンサー
Ｃ１３……コンデンサー
Ｃ１４……コンデンサー
Ｃ１５……コンデンサー
Ｃ１６……コンデンサー
Ｃ２１……コンデンサー
Ｃ２２……コンデンサー
Ｃ２３……コンデンサー
Ｃ２４……コンデンサー
Ｃ２５……コンデンサー
Ｃ２６……コンデンサー
Ｄ１１……可変容量ダイオード
Ｄ２１……可変容量ダイオード
Ｈ……半田
Ｌ１１……伸張コイル
Ｌ１２……コイル
Ｌ２１……伸張コイル
Ｌ２２……コイル
Ｑ１１……トランジスター
Ｑ２１……トランジスター
Ｒ１１……抵抗
Ｒ１２……抵抗
Ｒ１３……抵抗
Ｒ１４……抵抗
Ｒ１５……抵抗
Ｒ１６……抵抗
Ｒ１７……抵抗
Ｒ２１……抵抗
Ｒ２２……抵抗
Ｒ２３……抵抗
Ｒ２４……抵抗
Ｒ２５……抵抗
Ｒ２６……抵抗
Ｒ２７……抵抗
Ｓ……内部空間
Ｘ１１……振動子
Ｘ２１……振動子
【図１】
0006582381.tif 000002
【図２】
0006582381.tif 000003
【図３】
0006582381.tif 000004
【図４】
0006582381.tif 000005
【図５】
0006582381.tif 000006
【図６】
0006582381.tif 000007
【図７】
0006582381.tif 000008
【図８】
0006582381.tif 000009
【図９】
0006582381.tif 000010
【図１０】
0006582381.tif 000011
【図１１】
0006582381.tif 000012